(57)【要約】【課題】  撮像装置本体に設けられたレンズマウント等が挿通される外装カバーが、撮像装置本体から浮いたり、剥がれてしまったりすることを効果的に防止する。【解決手段】  撮像装置本体１のレンズ鏡筒又はレンズマウント部４が挿通されるリング部５を有し、且つこのレンズ鏡筒又はレンズマウント部４がリング部５に挿通された状態で撮像装置本体１を覆うカバー２は、撮像装置本体１にカバー２を固定するための爪であって、弾性変形することのない第１の爪１３と、撮像装置本体１にカバー２を固定するための爪であって、第１の爪１３とは異なっており且つ弾性変形する第２の爪１４と、を備える。第１の爪１３は、レンズ鏡筒又はレンズマウント部４がリング部５に挿通される方向と直交する方向に伸びており、第２の爪１４は、レンズ鏡筒又はレンズマウント部４がリング部５に挿通される方向に沿って伸びる。【選択図】  図４
2015087534.tif 000002
【特許請求の範囲】
【請求項１】
撮像装置本体に設けられたレンズ鏡筒又はレンズマウントが挿通される穴部を有し、且つ前記レンズ鏡筒又は前記レンズマウントが前記穴部に挿通された状態で前記撮像装置本体を覆う外装カバーであって、
前記撮像装置本体に前記外装カバーを固定するための爪であって、弾性変形することのない第一の爪と、
前記撮像装置本体に前記外装カバーを固定するための爪であって、前記第一の爪とは異なっており且つ弾性変形する第二の爪と、
を備え、
前記第一の爪は、前記レンズ鏡筒又は前記レンズマウントが前記穴部に挿通される方向と直交する方向に伸びており、
前記第二の爪は、前記レンズ鏡筒又は前記レンズマウントが前記穴部に挿通される方向に沿って伸びていることを特徴とする外装カバー。
【請求項２】
前記第一及び第二の爪は、前記外装カバーにより前記撮像装置本体が覆われた状態で、前記撮像装置本体に設けられた操作部材の近傍に位置することを特徴とする請求項１に記載の外装カバー。
【請求項３】
前記第一の爪は、前記外装カバーにより前記撮像装置本体が覆われた状態で、前記第二の爪よりも前記操作部材の近くに位置することを特徴とする請求項２に記載の外装カバー。
【請求項４】
前記第一及び第二の爪は、互いに隣接することを特徴とする請求項１乃至３のいずれか１項に記載の外装カバー。
【請求項５】
前記第一及び第二の爪のそれぞれには、前記撮像装置本体に前記外装カバーを固定するための穴部が設けられており、
前記第一の爪に設けられた穴部は、前記外装カバーにより前記撮像装置本体が覆われた状態で、前記第二の爪に設けられた穴部よりも、前記撮像装置本体の背面側に位置することを特徴とする請求項１乃至４のいずれか１項に記載の外装カバー。
【請求項６】
前記第一及び第二の爪は、前記レンズ鏡筒又は前記レンズマウントが外装カバーの穴部に挿通される方向から見て、前記外装カバーと重なる位置に設けられていることを特徴とする請求項１乃至５のいずれか１項に記載の外装カバー。
【請求項７】
前記外装カバーは、金属製であり、
前記第一の爪は、前記外装カバーと一体成型されており、
前記第二の爪は、樹脂製であり、且つ前記外装カバーに接着されていることを特徴とする請求項１乃至６のいずれか１項に記載の外装カバー。
【請求項８】
請求項１乃至７のいずれか１項に記載の外装カバーで覆われた撮像装置。
【発明の詳細な説明】
【技術分野】
【０００１】
本発明は、撮像装置に組み付けられる外装カバー、及び前記外装カバーが組み付けられた撮像装置に関する。
【背景技術】
【０００２】
近年、撮像素子から出力される画像信号・画像情報等をデータファイルとして記録する電子撮像装置が広く普及している。この電子撮像装置（以降、デジタルカメラと称する）は、撮像素子から光電変換によって得られた画像データを、例えばＪＰＥＧ等のファイル形式の画像データに圧縮符号化処理してメモリーカード等に記録するものである。
【０００３】
このようなデジタルカメラの外装には、前後（もしくは左右）方向に分割された複数の外装部品を一体化することで構成された外装カバーであって、内部構成部品を覆う外装カバーがある。特に、デジタルカメラでは、高品位な外観を実現するために、外装を金属（アルミニウム、ステンレス鋼又はチタン等）で成型し、見た目に加えユ−ザ−が手にした時の剛性感や金属特有の質感等により高級感を与えるものがある。
【０００４】
このような金属製の外装カバーでは、外部からビスにより取り付ける構造にすると、外観の品位が落ち、またデジタルカメラを把持した際にビスの凹凸が指に触れて不快に感ずることがある。さらに、金属製の外装カバーをビスで締結する構造では、ユーザーがビスを外すことで外装カバーを取り外し、このユーザーが内部の精密な電子部品に触れてしまうと、故障の原因になる虞がある。このため、デジタルカメラでは、外装カバーの表面に露出するビスを削減した外装カバー組立構造が求められている。
【０００５】
そこで、このようなビスを削減するために、デジタルカメラでは、外装カバー（特に上面）の内部に隠れる係止爪により、前後方向等に分割された外装部品同士を結合して外装カバーを組み付ける構造にすることがある。この爪形状を用いて前後方向等に分割された外装部品同士を係合一体化する結合構造は、何れか一方の外装カバーに設けた複数の係止爪と、他方に設けた複数の係止穴によって構成されている。
【０００６】
ここで、図９は、従来のデジタルカメラのリアカバーの内側の斜視図である。図９における従来カバー２２の内側は、デジタルカメラ本体に組み付けられる。また、従来カバー２２の上部には、２つの引っ掛け爪２３が設けられている。この２つの引っ掛け爪２３は、デジタルカメラ本体に設けられた突起部に、Ｙ軸方向に沿って引っ掛けられるものである。これにより、従来カバー２２は、デジタルカメラ本体にＹ軸方向に沿って引っ掛けられるように、組み付けられることになる。
【先行技術文献】
【特許文献】
【０００７】
【特許文献１】特開２０１０−１８６８６５号公報
【発明の概要】
【発明が解決しようとする課題】
【０００８】
しかしながら、図９の従来カバー２２は、Ｚ軸方向に動かないように係止することができる一方、Ｙ軸方向に係止することができなかった。このため、従来カバー２２等が結合されて構成された外装カバー（特に、外装カバー上部）の合わせ目に凹凸が生じてしまい、品位が損なわれてしまうことがあった。
【０００９】
また、特許文献１には、一方の外装カバーに装着された可動係止部材を他方の外装カバーに設けられた係止爪部に摺接させることにより、一方の外装カバーと他方の外装カバーとの隙間を縮めるように引き寄せることができるデジタルカメラが開示されている。しかしながら、このデジタルカメラでは、外装カバーの合わせ目となる隙間を狭めるために、可動係止部材などの機構を別途設ける必要があり、小型化の弊害となってしまっていた。
【００１０】
さらに、上述の従来技術で用いられている引っ掛け爪は、Ｙ軸方向に沿って引っ掛けられる必要があった。このため、しゃくり組みのような組み方式を取る必要があり、例えば、デジタルカメラ本体にＺ軸方向に沿って真っ直ぐ組み付けられなければならない制約のある外装カバーには向いていなかった。
【００１１】
本発明は、上記のような点に鑑みてなされたものであり、撮像装置本体に設けられたレンズマウント等が挿通される外装カバーが、撮像装置本体から浮いたり、剥がれてしまったりすることを効果的に防止することができるようになるものである。
【課題を解決するための手段】
【００１２】
上記目的を達成するために、本発明の外装カバーは、撮像装置本体に設けられたレンズ鏡筒又はレンズマウントが挿通される穴部を有し、且つ前記レンズ鏡筒又は前記レンズマウントが前記穴部に挿通された状態で前記撮像装置本体を覆う外装カバーであって、前記撮像装置本体に前記外装カバーを固定するための爪であって、弾性変形することのない第一の爪と、前記撮像装置本体に前記外装カバーを固定するための爪であって、前記第一の爪とは異なっており且つ弾性変形する第二の爪と、を備え、前記第一の爪は、前記レンズ鏡筒又は前記レンズマウントが前記穴部に挿通される方向と直交する方向に伸びており、前記第二の爪は、前記レンズ鏡筒又は前記レンズマウントが前記穴部に挿通される方向に沿って伸びていることを特徴とする。
【発明の効果】
【００１３】
本発明によれば、撮像装置本体に設けられたレンズマウント等が挿通される外装カバーが、撮像装置本体から浮いたり、剥がれてしまったりすることを効果的に防止することができる。
【図面の簡単な説明】
【００１４】
【図１】本実施形態に係る、撮像装置を正面側から見た分解斜視図である。
【図２】本実施形態に係る、撮像装置本体の上面図である。
【図３】本実施形態に係る、フロントカバーユニットの背面図である。
【図４】本実施形態に係る、フロントカバーユニットの突起部周辺を背面側から見た拡大斜視図である。
【図５】本実施形態に係る、ベース部材の上面図である。
【図６】本実施形態に係る、ベース部材の正面図である。
【図７】本実施形態に係る、互いに組み付けられた状態のフロントカバーユニット及びベース部材の要部拡大断面図である。
【図８】本実施形態に係る、フロントカバーユニットをベース部材に組み付ける様子を説明するための要部拡大断面図である。
【図９】従来カバーの一例を示す図である。
【発明を実施するための形態】
【００１５】
以下に、本発明に係る実施の形態について、添付図面を参照して詳細に説明する。なお、以下に説明する実施の形態は、本発明の実現手段としての一例であり、本発明の要旨を逸脱しない範囲で、種々の実施の形態を採り得ることは勿論である。
【００１６】
図１は、本実施形態に係る、撮像装置本体１を正面側から見た分解斜視図である。なお、図１において、この撮像装置本体１の長手方向をＸ軸方向とし、この撮像装置本体１の短手方向をＹ軸方向とし、この撮像装置本体１の光軸方向をＺ軸方向とする。なお、図１において、Ｘ軸は、Ｙ軸及びＺ軸と直交し、Ｙ軸は、Ｘ軸及びＺ軸と直交し、Ｚ軸は、Ｘ軸及びＹ軸と直交するものとする。また、Ｚ軸は、本実施例における撮像装置の光軸と平行である。
【００１７】
図１における撮像装置本体１は、撮像装置本体１の前面を覆うフロントカバーユニット１０を備える。また、撮像装置本体１は、このフロントカバーユニット１０と対をなす、リアカバー３を備える。つまり、フロントカバーユニット１０は、撮像装置本体１の２枚の外装カバーの一方を構成し、リアカバー３は、この外装カバーの他方を構成する。そして、本体構造体６は、この外装カバーに覆われる。この本体構造体６は、ベース部材１５及びレンズマウント部４を含む。これらベース部材１５及びレンズマウント部４のそれぞれは、外装カバーに覆われる。
【００１８】
なお、本実施形態における撮像装置本体１の外装カバーは、リアカバー３及びフロントカバーユニット１０の２枚のカバーで構成するものとしたが、これに限られるものではない。例えば、リアカバー、フロントカバー及び左カバーの３枚のカバーで外装カバーを構成しても良く、リアカバー、フロントカバー、左カバー、及び右カバー等を含む４枚以上のカバーで外装カバーを構成しても良い。
【００１９】
リング部５は、円筒形状に形成されており、フロントカバーユニット１０に設けられている。このリング部５は、円筒形状に形成されたレンズマウント部４の側面を覆う。また、このリング部５の直径等の寸法は、リング部５がレンズマウント部４に嵌合するように設定されている。さらに、Ｚ軸方向において、このリング部５の幅（長さ）は、レンズマウント部４がフロントカバー２から突き出す長さ（凸量）以上である。これは、レンズマウント部４の側面をリング部５で覆うためである。
【００２０】
よって、フロントカバーユニット１０は、レンズマウント部４及びリング部５の嵌合部がガイドとして組み込まれていることになる。また、フロントカバーユニット１０は、本体構造体６に対し、Ｚ方向に沿って真っ直ぐ組み付けられなければ、レンズマウント部４と干渉してしまい、組み付けることが出来ない。したがって、本実施例におけるフロントカバーユニット１０は、図９の従来例の説明で述べたような、図９のＹ軸方向に沿って引っ掛けるような引っ掛け爪２３を用いて、本体構造体６に組み付けることはできない。
【００２１】
なお、本実施例におけるフロントカバーユニット１０は、レンズマウント部４がリング部５に挿通された状態で、撮像装置本体１を覆う。また、本実施例におけるリング部５は、撮像装置本体１に設けられたレンズマウントに嵌合する穴部に相当する。また、ダイヤル操作部７、突起部９については、後述する。
【００２２】
続いて、図２は、本実施形態において、電子機器に相当する撮像装置を、Ｙ軸方向に沿って見た上面図である。図２に示すように、フロントカバーユニット１０及びリアカバー３は、互いに接触している。フロントカバーユニット１０の一部分であって、リアカバー３に接触する部分は、撮像装置本体１の上面からＹ軸方向に沿って見て、曲線を描いている。同様に、リアカバー３の一部分であって、フロントカバーユニット１０に接触する部分は、撮像装置本体１の上面からＹ軸方向に沿って見て、曲線を描いている。
【００２３】
即ち、フロントカバーユニット１０及びリアカバー３が互いに接触する部分であるカバー合わせ８は、撮像装置本体１の上面からＹ軸方向に沿って見て、曲線を描いている。
【００２４】
フロントカバーユニット１０には、ダイヤル操作部７と接触しないように切り欠かれた切り欠き部が形成されている。また、突起部９は、この切り欠き部の一部を形成している。また、この突起部９は、フロントカバーユニット１０に設けられている。さらに、この突起部９は、撮像装置本体１の上面からＹ軸方向に沿って見て、フロントカバーユニット１０におけるリアカバー３と接触する部分の一部を形成している。そして、ダイヤル操作部７は、レリーズボタンを備えている。このレリーズボタンは、ユーザによって、略Ｙ軸方向に沿って撮像装置本体１の下面側に、押下される。
【００２５】
この結果、フロントカバーユニット１０には、（特に突起部９において、）凹凸が生じやすく、この凹凸が生じてしまうと、撮像装置本体１の品位が損なわれてしまうことがあり得る。
【００２６】
続いて、図３は、本実施形態において、撮像装置の背面側からＺ軸方向に沿って見た、フロントカバーユニット１０の背面図である。図３におけるフロントカバーユニット１０は、プレス加工された金属製カバーであるフロントカバー２と、円筒形状に形成されたリング部５と、樹脂製部材であるフロントインナーカバー１１と、から構成される。ここで、フロントインナーカバー１１は、フロントカバー２の主面部に設けられた接着部１２において、この接着部１２に塗布された接着剤を用いることにより、フロントカバー２に接着され固定される。
【００２７】
このように、接着部１２を、フロントカバー２の側面部に設けることなく、主面部においてのみ設けることで、接着部１２に塗布された接着剤が完全に固まるまで放置する際の手順を簡略化することができる。
【００２８】
なお、本実施例では、フロントカバー２に接着部１２を設けるように構成したが、これに限られるものではない。例えば、フロントカバー２は、フロントインナーカバー１１の主面部に設けられた接着部において、この接着部に塗布された接着剤により、フロントカバー２に接着され固定されるよう、構成されても良い。このように構成した際は、フロントインナーカバー１１の側面部には、接着部を設けないものとする。
【００２９】
フロントカバー２には、突起部９が形成されている。この突起部９には、図４で後述する第１の爪１３と、図４で後述する第２の爪１４と、が設けられている。なお、第１の爪１３及び第２の爪１４は、撮像装置本体１の背面からＺ軸方向に沿って見て、フロントカバーユニット１０から突き出すことなく、且つフロントカバーユニット１０と重なる位置に設けられている。
【００３０】
続いて、図４は、本実施形態において、撮像装置本体１の背面側から見た突起部９の拡大斜視図である。図４に示すように、フロントカバー２に設けられた突起部９の撮像装置本体１の背面側の先端には、第１の爪１３が設けられている。この第１の爪１３は、Ｙ軸方向且つ撮像装置本体１の下面側に折り曲げられている。さらに、この第１の爪１３は、第１の穴形状１６を有している。この第１の穴形状１６は、撮像装置本体１の背面側からＺ軸方向に沿って見て、長方形に形成されている。
【００３１】
なお、この第１の穴形状１６には、後述の第１の凸形状１８が係合する。この第１の凸形状１８は、外装カバーで覆われる構造物であるベース部材１５からＺ軸方向且つ撮像装置本体１の前面側へ突き出す。これにより、フロントカバー２は、ベース部材１５に対し、Ｙ方向に動かないように固定される。この詳細は、図７を用いて後述する。
【００３２】
第２の爪１４は、第１の爪１３の近傍に設けられている。より詳細には、第２の爪１４は、第１の爪１３の隣に設けられている。そして、第１の爪１３及び第２の爪１４は、Ｘ軸方向に沿って、略一列に並べられている。さらに、ダイヤル操作部７から第２の爪１４までの距離は、ダイヤル操作部７から第１の爪までの距離よりも長い。この第２の爪１４は、フロントインナーカバー１１から、Ｚ軸方向に沿って撮像装置本体１の背面側に、伸びている。このため、第２の爪１４は、第１の爪１３と直交することとなる。
【００３３】
第２の爪１４は、第２の穴形状１７を有している。この第２の穴形状１７は、撮像装置本体１の上面側からＹ軸方向に沿って見て、長方形に形成されている。そして、この第２の穴形状１７には、後述の第２の凸形状１９が係合する。この第２の凸形状１９は、外装カバーで覆われる構造物であるベース部材１５からＹ軸方向且つ撮像装置本体１の下面側へ突き出す。これにより、フロントカバー２は、ベース部材１５に対し、Ｚ軸方向に動かないように固定される。さらに、フロントインナーカバー１１及び第２の爪１４は、弾性変形可能なゴム等の素材で出来ている。
【００３４】
なお、この第２の爪１４は、弾性変形することにより、ベース部材１５に設けられた第２の凸形状１９と係合する。この詳細は、図８を用いて後述する。
【００３５】
なお、本実施例における第１の爪１３及び第２の爪１４は、フロントカバーユニット１０により撮像装置本体１が覆われた状態で、ダイヤル操作部７の近傍に位置する。また、本実施例における第１の爪１３及び第２の爪１４は、互いに隣接する。ここで、本実施例では、第１の爪１３は、フロントカバーユニット１０により撮像装置本体１が覆われた状態で、第２の爪１４よりもダイヤル操作部７の近くに位置する。
【００３６】
また、本実施例における第１の穴形状１６は、フロントカバーユニット１０により撮像装置本体１が覆われた状態で、第２の穴形状１７よりも撮像装置本体１の背面側に位置するものとする。そして、本実施例における第１の爪１３は、フロントカバーユニット１０と一体成型されているものとする。
【００３７】
続いて、図５は、本実施形態において、撮像装置本体１の上面側からＹ軸方向に沿って見た、ベース部材１５全体の上面図である。図５に示すように、ベース部材１５は、上述した第１の爪１３に係合する第１の凸形状１８を有している。この第１の凸形状１８は、Ｚ軸方向に沿って、撮像装置本体１の正面側に向かって伸びている。
【００３８】
続いて、図６は、本実施形態において、撮像装置本体１の正面側からＺ軸方向に沿って見た、ベース部材１５全体の正面図である。図６に示すように、ベース部材１５は、上述した第２の爪１４と係合する第２の凸形状１９を有している。この第２の凸形状１９は、Ｙ軸方向に沿って、撮像装置本体１の下面側に向かって伸びている。さらに、この第２の凸形状１９は、第１の凸形状１８と直交する。
【００３９】
続いて、図７は、本実施形態において、ベース部材１５に組み付けられた状態のフロントカバーユニット１０に関する、第１の爪１３を通る断面図であって、Ｘ軸方向から見た断面図である。図７に示すように、フロントカバーユニット１０は、リング部５を有する。上述したように、このリング部５は、レンズマウント部４と嵌合するためのものである。このため、フロントカバーユニット１０は、ベース部材１５に対し、Ｚ軸方向に真っ直ぐ組み付けられなければ、レンズマウント部４と干渉してしまう。干渉してしまうと、フロントカバーユニット１０は、ベース部材１５に組み付けられない。
【００４０】
そこで、フロントカバーユニット１０は、ベース部材１５に対し、Ｚ軸方向に真っ直ぐ組み付けられることになる。このように組み付けられると、第１の爪１３に設けられた第１の穴形状１６は、ベース部材１５に設けられた第１の凸形状１８と係合する。これにより、フロントカバー２の突起部９の周辺は、Ｙ軸方向に動かないように固定される。
【００４１】
続いて、図８は、本実施形態に係る、フロントカバーユニット１０がベース部材１５に組み付けられる様子に関する、第２の爪１４を通る断面図であって、Ｘ軸方向から見た断面図である。図８に示すように、フロントカバーユニット１０は、レンズマウント部４と嵌合するためのリング部５を備えている。このため、フロントカバーユニット１０は、ベース部材１５に対してＺ軸方向に真っ直ぐ組み付けられなければ、レンズマウント部４と干渉してしまうので、組み付けられることができない。
【００４２】
そこで、図８（Ａ）に示すように、フロントカバーユニット１０がベース部材１５に対してＺ軸方向に真っ直ぐ組み付けられると、第２の爪１４の先端は、ベース部材１５に設けられた第２の凸形状１９まで達する。このように達すると、第２の爪１４は、−Ｙ方向（Ｙ軸方向且つ撮像装置本体１の下面側）に押し込まれるよう、弾性変形を開始する。なお、板厚ｔ２１は、第２の爪１４の板厚である。
【００４３】
次に、図８（Ｂ）に示すように、第２の爪１４がベース部材１５の第２の凸形状１９を乗り越え、且つこの第２の凸形状１９が第２の穴形状１７と係合することで、フロントカバーユニット１０のベース部材１５に対する組み付けが完了する。このように組み付けられた状態では、第２の爪１４に設けられた第２の穴形状１７は、ベース部材１５が有する第２の凸形状１９と掛り量α２０で係合する。これにより、フロントインナーカバー１１は、ベース部材１５に対し、Ｚ軸方向に動かないように固定される。
【００４４】
以上のように、本実施形態におけるフロントカバーユニット１０は、撮像装置本体１に設けられたレンズマウント部４が挿通されるリング部５を備えている。しかも、このフロントカバーユニット１０は、撮像装置本体１にフロントカバーユニット１０を固定するための第一の爪１３と、撮像装置本体１にフロントカバーユニット１０を固定するための第２の爪１４と、を備える。さらに、第１の爪１３は、弾性変形せず、第２の爪１４は、弾性変形する。
【００４５】
なおかつ、この第１の爪１３は、レンズマウント部４がリング部５に挿通される方向と直交する方向に伸びており、且つ、この第２の爪１４は、レンズマウント部４がリング部５に挿通される方向に沿って伸びている。
【００４６】
よって、レンズマウント部４がリング部５に挿される方向と直交する方向に伸びる第１の爪１３を設けているので、撮像装置本体１に対し、フロントカバーユニット１０をＹ軸方向に動かないように固定することができる。さらに、レンズマウント部４がリング部５に挿通される方向に沿って伸びる第２の爪１３を設けているので、撮像装置本体１に対し、フロントカバーユニット１０をＺ軸方向に動かないように固定することができる。
【００４７】
しかも、第２の爪１４は、弾性変形する。これにより、レンズマウント部４が設けられた撮像装置本体１に対し、このレンズマウント部４が挿通されるリング部５が設けられたフロントカバーユニット１０を、Ｙ軸方向に沿って引っ掛けることなく、Ｚ軸方向に沿って真っ直ぐ組み付けることができる。一方で、第１の爪１３は、弾性変形しない。これにより、撮像装置本体１に対し、フロントカバーユニット１０を、Ｙ軸方向に動かないように、より強く固定することができる。
【００４８】
この結果、撮像装置本体１に設けられたレンズマウント部４が挿通されるフロントカバーユニット１０が、撮像装置本体１から浮いたり、剥がれてしまったりすることを効果的に防止することができる。
【００４９】
また、本実施例では、フロントインナーカバー１１は、フロントカバー２に主面部で接着固定されているので、フロントカバーユニット１０の突起部９周辺は、ベース部材１５に対し、Ｚ軸方向に動かないよう、固定される。
【００５０】
なお、この掛り量α２０は、第２の穴形状１７の板厚ｔ２１と近い値が好ましい。仮に、板厚ｔ２１に対して掛り量α２０が小さい値になってしまうと、フロントインナーカバー１１は、ベース部材１５に対し、Ｚ方向に動かないように十分に固定されない。また、仮に、板厚ｔ２１に対して掛り量α２０が大きい値であると、先に説明した組みつけ過程および、リペアを目的とした分解工程において、第２の爪１４がベース部材１５の第２の凸形状１９を乗り越えることが困難となってしまう。
【００５１】
また、本実施例では、レンズマウント部４とリング部５とが互いに嵌合するのみならず、第１の爪１３が第１の凸形状１８に係合することにより、フロントカバーユニット１０の突起部９の周辺を、ベース部材１５に対し、Ｙ方向に動かないように固定する。これにより、掛り量α２０を高い精度でコントロールすることが可能となる。
【００５２】
レンズマウント部４とリング部５とが互いに嵌合するのみでは、カバー末端部における掛り量α２０を正確にコントロールすることは困難である。一方で、第１の爪１３と第１の凸形状１８とが係合するのみでは、この係合部を軸にカバーの傾きが起きてしまったとき、掛り量α２０を正確にコントロールすることは困難となる。
【００５３】
また、本実施例では、図８（Ｂ）に示すように、第２の爪１４及び第２の凸形状１９の大部分は、突起部９の直下に納めている。これにより、撮像装置本体１の上面からＹ軸方向に沿って見て、フロントカバーユニット１０を固定するための固定機構が、突起部９から突き出してしまうことがない。このため、撮像装置本体１の省スペース化にも寄与することができる。
【００５４】
また、本実施例における操作部材であるダイヤル操作部７は、ダイヤル及びレリーズボタンから構成されており、ダイヤルの中心には、レリーズボタンが設けられている。ダイヤル操作部７は、撮像装置本体１の前面側に略前傾しており、ユーザーによりダイヤル操作部７のダイヤルが回されると、Ｙ軸方向の力が突起部９に加わる。同様に、ユーザによりダイヤル操作部７のレリーズボタンが押下されると、Ｙ軸方向の力が突起部９に加わる。
【００５５】
そこで、本実施例では、第１の爪１３及び第２の爪１４は、ダイヤル操作部７の近傍に配置した。これにより、突起部９にＹ軸方向の力が加わっても、突起部９が浮いてしまったり、剥がれてしまったりすることをより効果的に防ぐことができる。しかも、本実施例では、第１の爪１３は、第２の爪１４よりもダイヤル操作部７の近くに設けられている。これにより、突起部９の浮きや剥がれをより一層効果的に防ぐことができる。
【００５６】
また、本実施例では、レンズマウント部４に嵌合するよう、リング部５を構成したが、これに限られるものではない。例えば、レンズマウント部４にマウントされるレンズ鏡筒が挿通されるよう、リング部５を構成しても良い。
【００５７】
また、本実施例における第２の爪１４は、樹脂製であるものとしても良い。更に、この樹脂製の第２の爪１４を突起部９に接着することで、突起部９に第２の爪１４を設けてもよい。
【００５８】
以上、本発明をその好適な実施形態に基づいて詳述してきたが、本発明はこれら特定の実施形態に限られるものではなく、この発明の要旨を逸脱しない範囲の様々な形態も本発明に含まれる。また、上述した実施形態の一部を適宜組み合わせても良い。
【符号の説明】
【００５９】
１  撮像装置本体
２  カバー
４  レンズマウント部
５  リング部
１３  第１の爪
１４  第２の爪
【図１】
2015087534.tif 000003
【図２】
2015087534.tif 000004
【図３】
2015087534.tif 000005
【図４】
2015087534.tif 000006
【図５】
2015087534.tif 000007
【図６】
2015087534.tif 000008
【図７】
2015087534.tif 000009
【図８】
2015087534.tif 000010
【図９】
2015087534.tif 000011